(57)【特許請求の範囲】
【請求項１】
下り回線用の２本の光ファイバと上り回線用の２本の光ファイバとを有する光ケーブルを通過させ固定する固定部材と，同軸ケーブルにより高周波電気信号が入出力される端子とを有する箱型の筐体と，
その筐体内の底面に配設されたマザーボードと，
を備えた光送受信装置であって，
前記マザーボードの外表面上には，
前記下り回線用の２本の光ファイバの一方を介して入力される光信号を高周波電気信号に変換して前記端子側に出力する第１の下り回線信号用光受信部を，金属製の第１のケースに配設してなる下り回線信号用光受信ユニットと，
前記同軸ケーブルから前記端子を介して入力される高周波電気信号を光信号に変換して，前記上り回線用の２本の光ファイバの一方に出力する第１の上り回線信号用光送信部を，金属製の第２のケースに配設してなる上り回線信号用光送信ユニットと，
をそれぞれ着脱自在に固着するための取付口が設けられ，
前記マザーボードには，
前記下り回線用の２本の光ファイバの他方を介して入力される光信号を高周波電気信号に変換して前記端子側に出力する第２の下り回線信号用光受信部と，
前記同軸ケーブルから前記端子を介して入力される高周波電気信号を光信号に変換して，前記上り回線用の２本の光ファイバの他方に出力する第２の上り回線信号用光送信部と，
前記取付口に取り付けられた下り回線信号用光受信ユニット内の第１の下り回線信号用光受信部からの出力と，前記第２の下り回線信号用光受信部からの出力との何れか一方を前記端子側に接続するための切換手段と，
前記取付口に取り付けられた下り回線信号用光受信ユニットから光信号が入力されていることを表す信号が入力されているとき，前記切換手段を，当該下り回線信号用光受信ユニット内の第１の下り回線信号用光受信部からの出力を前記端子側に出力するよう切り換え，前記第２の下り回線信号用光受信部の増幅器への電源供給を停止させ，前記下り回線信号用光受信ユニットから光信号が入力されていることを表す信号が入力されていないときには，前記切換手段を，前記第２の下り回線信号用光受信部からの出力を前記端子側に出力するよう切り換え，前記第１の下り回線信号用光受信部の増幅器への電源供給を停止させる制御手段と，
を備えたことを特徴とする光送受信装置。
【請求項２】
センター装置と信号伝送用の同軸ケーブルとの間に，請求項１に記載の光送受信装置を設け，この光送受信装置とセンター装置とを光ケーブルを介して接続してなることを特徴とする双方向ＣＡＴＶシステム。
【発明の詳細な説明】
【発明の詳細な説明】
【０００１】
【技術分野】
【０００２】
本発明は，双方向ＣＡＴＶシステムにおける光信号の中継に利用可能な光送受信装置，及び，この光送受信装置を用いた双方向ＣＡＴＶシステムに関する。
【背景技術】
【０００３】
従来の光送受信装置は，光受信部や下り回線信号用増幅部等からなる下り回線用光受信部と，光送信部や上り回線信号用増幅部からなる上り回線信号用光送信部を夫々ユニット化して，当該ユニットを筐体内の底面に配設したマザーボードに配設して光送受信装置を構成していた。（例えば，特許文献１参照）
この光送受信装置においては，二重化された光ファイバの断線等によって光信号が停波した場合や，上記ユニットが故障した場合に備えて，下り回線信号用光受信ユニット及び上り回線信号用光送信ユニットとして，それぞれ，主ユニットと副ユニットとを設け，信号の停波時に主副の切換えを行って，信号が停波しないようにしていた，
また，上記主ユニットを介して副ユニットが接続され，主ユニットが故障した場合に動作が副ユニットに切り変わることにより，信号が停波するのを防止するように構成されたものもあった。
【特許文献１】特開平８−１５４２４１号公報
【発明の開示】
【発明が解決しようとする課題】
【０００４】
しかし，上記のように，上り回線信号用光送信ユニットと下り回線信号用光受信ユニットとを夫々主ユニットと副ユニットとで構成して，主ユニットと副ユニットとを切換えて使用するように構成した光送受信装置においては，光送受信装置の筐体に収納されるマザーボードに最大４ユニットを設ける必要があるため，光送受信装置の筐体が大きくなると共に，延いてはコストが高くつくといった問題があった。
【０００５】
また，主ユニットを介して副ユニットを接続するように構成した光送受信装置は，マザーボードが小さくでき全体的に小さくすることができるが，主ユニットが故障して交換する際に信号が停波するといった問題があった。
【０００６】
本発明は，こうした問題に鑑みなされたものであり，主ユニットが故障した際に，停波することなく主ユニットを交換可能で，しかも，低消費電力な光送受信装置，及び，この光送受信装置を用いた双方向ＣＡＴＶシステムを提供することを目的とする。
【課題を解決するための手段】
【０００７】
かかる目的を達成するためになされた請求項１に記載の発明は，
下り回線用の２本の光ファイバと上り回線用の２本の光ファイバとを有する光ケーブルを通過させ固定する固定部材と，同軸ケーブルにより高周波電気信号が入出力される端子とを有する箱型の筐体と，
その筐体内の底面に配設されたマザーボードと，
を備えた光送受信装置であって，
前記マザーボードの外表面上には，
前記下り回線用の２本の光ファイバの一方を介して入力される光信号を高周波電気信号に変換して前記端子側に出力する第１の下り回線信号用光受信部を，金属製の第１のケースに配設してなる下り回線信号用光受信ユニットと，
前記同軸ケーブルから前記端子を介して入力される高周波電気信号を光信号に変換して，前記上り回線用の２本の光ファイバの一方に出力する第１の上り回線信号用光送信部を，金属製の第２のケースに配設してなる上り回線信号用光送信ユニットと，
をそれぞれ着脱自在に固着するための取付口が設けられ，
前記マザーボードには，
前記下り回線用の２本の光ファイバの他方を介して入力される光信号を高周波電気信号に変換して前記端子側に出力する第２の下り回線信号用光受信部と，
前記同軸ケーブルから前記端子を介して入力される高周波電気信号を光信号に変換して，前記上り回線用の２本の光ファイバの他方に出力する第２の上り回線信号用光送信部と，
前記取付口に取り付けられた下り回線信号用光受信ユニット内の第１の下り回線信号用光受信部からの出力と，前記第２の下り回線信号用光受信部からの出力との何れか一方を前記端子側に接続するための切換手段と，
前記取付口に取り付けられた下り回線信号用光受信ユニットから光信号が入力されていることを表す信号が入力されているとき，前記切換手段を，当該下り回線信号用光受信ユニット内の第１の下り回線信号用光受信部からの出力を前記端子側に出力するよう切り換え，前記第２の下り回線信号用光受信部の増幅器への電源供給を停止させ，前記下り回線信号用光受信ユニットから光信号が入力されていることを表す信号が入力されていないときには，前記切換手段を，前記第２の下り回線信号用光受信部からの出力を前記端子側に出力するよう切り換え，前記第１の下り回線信号用光受信部の増幅器への電源供給を停止させる制御手段と，
を備えたことを特徴とする。
【０００８】
また，請求項２に記載の発明は，双方向ＣＡＴＶシステムに関するものであり，センター装置と信号伝送用の同軸ケーブルとの間に，請求項１に記載の光送受信装置を設け，この光送受信装置とセンター装置とを光ケーブルを介して接続してなることを特徴とする。
【発明の効果】
【０００９】
請求項１に記載の光送受信装置においては，筐体内の底面に配設されるマザーボードの外表面上に，第１の下り回線信号用光受信部を第１のケースに設けた下り回線信号用光受信ユニットと，第１の上り回線信号用光送信部を第２のケースに設けた上り回線信号用光送信ユニットとをそれぞれ着脱自在に固着するための取付口が設けられる。
【００１０】
また，マザーボードには，第２の下り回線信号用光受信部と，第２の上り回線信号用光送信部とが設けられている。
このため，本発明の光送受信装置によれば，従来のように，第２の下り回線信号用光受信部及び第２の上り回線信号用光送信部をユニット化して，マザーボードにこれら各部を着脱自在に固着するための取付口を設ける必要がないので，マザーボード及び筐体を小型に形成でき，延いては，光送受信装置のコストダウンを実現できる。
【００１１】
また，マザーボードには，取付口に取り付けられた下り回線信号用光受信ユニット内の第１の下り回線信号用光受信部からの出力と，第２の下り回線信号用光受信部からの出力との何れか一方を端子側に接続するための切換手段と，制御手段とが設けられている。
【００１２】
そして，制御手段は，取付口に取り付けられた下り回線信号用光受信ユニットから光信号が入力されていることを表す信号が入力されているとき，切換手段を，第１の下り回線信号用光受信部からの出力を端子側に出力するよう切り換え，第２の下り回線信号用光受信部の増幅器への電源供給を停止させ，下り回線信号用光受信ユニットから光信号が入力されていることを表す信号が入力されていないときには，切換手段を，第２の下り回線信号用光受信部からの出力を端子側に出力するよう切り換え，第１の下り回線信号用光受信部の増幅器への電源供給を停止させる。
【００１３】
従って，下り回線信号用光受信ユニットが取付口に取り付けられて，この下り回線信号用光受信ユニットに光ファイバを介して光信号が入力されているとき（つまり，下り回線信号用光受信ユニットが正常動作しているとき）には，この下り回線信号用光受信ユニットにて光信号から変換された高周波電気信号が端子を介して同軸ケーブルに出力され，取付口に取り付けられた下り回線信号用光受信ユニットに光信号が入力されていないときや，取付口から下り回線信号用光受信ユニットが取り外されているとき（つまり，下り回線信号用光受信ユニットが正常動作していないとき）には，第２の下り回線信号用光受信部にて光信号から変換された高周波電気信号が端子を介して同軸ケーブルに出力されることになる。
【００１４】
つまり，下り回線信号用光受信ユニットが設けられる下り回線（主回線）が停波した時は，下り回線信号の伝送路が，第２の下り回線用信号光受信部側の下り回線（副回線）に自動で切換わり，加入者に対するサービスが停止するのを防止できる。
【００１５】
また，下り回線信号用光受信ユニットが設けられる下り回線（主回線）が停波していない時には，第２の下り回線用光受信部の増幅部への電源供給が停止され，下り回線信号用光受信ユニットが設けられる下り回線（主回線）が停波した時には，第１の下り回線用光受信部の増幅部への電源供給が停止されるので，消費電力を低減することができる。
【００１６】
よって，本発明によれば，光ケーブルの二重化に対応した小型で，低消費電力で，コストダウンした光送受信装置を提供できる。
請求項２に記載の双方向ＣＡＴＶシステムによれば，センター装置と信号伝送用の同軸ケーブルとの間に本発明（請求項１）の光送受信装置を設け，この光送受信装置とセンター装置とを光ファイバーケーブルを介して接続しているので，小型で省電力な光送受信装置を用いることができ，取付性の容易性や経済性の面での優位性を有するＣＡＴＶシステムが実現できる。
【００１７】
また，光送受信装置において，下り回線信号用光受信ユニットや上り回線信号用光送信ユニットが故障したり，これらに接続される下り回線用あるいは上り回線用の光ファイバが断線して光信号が途切れたりしても，第２の下り回線信号用光受信部若しくは第２の上り回線信号用光送信部を介して，上り回線信号若しくは下り回線信号を中継できるので，これら各信号を停波させることなく伝送でき，しかも，下り回線信号用光受信ユニットや上り回線信号用光送信ユニットの取り換え工事においても停波せずに工事できることから，加入者に対するサービスを途切れさすことの無い双方向ＣＡＴＶシステムを提供できる。
【発明を実施するための最良の形態】
【００１８】
以下に，本発明を具体化した実施形態を，図面を基に詳細に説明する。
図１（ａ）は，実施形態の光送受信装置の構成を示す組立斜視図，（ｂ）組立後の斜視図である。但し筐体に被せる蓋体は簡略化のため図示されていない。
【００１９】
この図において１は光送受信装置を示す。１０は主下り回線信号用光受信ユニット（以下，主光受信ユニットと記載する。）であり，金属製の材料で形成された第１のケースに第１の下り回線信号用光受信部の回路が搭載されている。
【００２０】
そして，この主光受信ユニット１０は，マザーボード３０に形成された取付口３０ａに嵌合され，当該取付口３０ａに着脱自在に任意の手段でもって固着される。また，第１のケース１０ａの一側面側には，光信号をケース１０ａ内の第１の下り回線信号用光受信部の回路に引き込むための光端子１１が配設されている。
【００２１】
２０は主上り回線信号用光送信ユニット（以下，主光送信ユニットと記載する。）であり，金属製の材料で形成された第２のケース２０ａに第１の上り回線信号用光送信部の回路が搭載されている。
【００２２】
そして，この主光送信ユニット２０は，マザーボード３０に形成された取付口３０ｂに嵌合され，当該取付口３０ｂに着脱自在に任意の手段でもって固着される。また，第２のケース２０ａの一側面側には，光信号を当該第２のケース２０ａ内に配設された第１の上り回線信号用光送信部の回路から，光信号を送出するための光端子２１が配設されている。
【００２３】
３０はマザーボード，４０は筐体であり，当該筐体４０の左側面４１には，光ケーブル５０を筐体４０の内部に引き込んで気密に固着するための固着部材４２と，ＡＣ電源を筐体４０の内部に引き込むための第１のＡＣ入力端子４３が設けられている。
【００２４】
また，筐体４０の右側面４４には，高周波電気信号を入出力するための第１の接続端子４５，第２の接続端子４６と，ＡＣ電源を筐体４０の内部に引き込むための第２のＡＣ入力端子４７が設けられている。
【００２５】
図２に本実施形態の光送受信装置１の概略回路図を示す。
主光受信ユニット１０には，光信号を電気信号に変換する光／電気（Ｏ／Ｅ）変換器１２，増幅器１３，分岐器１４等からなる第１の下り回線信号用光送信部が第１の金属ケース１０ａ内部に配設されており，この第１のケース１０ａの外面側に配設された高周波電気信号を送出する接続コネクタＣ１と，マザーボードに配設された接続コネクタＣ１´とを接続するように，主光受信ユニット１０は上記マザーボード３０に形成された取付口３０ａに挿着され，着脱自在に任意の方法で固着されている。
【００２６】
マザーボード３０は，筐体４０の内面側の底面４０−１に配設されており，光信号を電気信号に変換するＯ／Ｅ変換器１０２，増幅器１０４等からなる第２の下り回線信号用光受信部（以下，副光受信部と記載する。）１００がマザーボード内部に配設されている。上記Ｏ／Ｅ変換器１０２に光信号を引き込むための光コネクタ１０１はマザーボード３０上に配設されるように構成されている。
【００２７】
また，マザーボード３０には，上記主光受信ユニット１０から接続端子Ｃ１，Ｃ１´を介して送出された高周波電気信号と，上記副光受信部１００から送出された，高周波電気信号との経路を選択的に切換可能とした切換手段３１と，当該切換手段３１の出力側に接続されたハイパスフィルター３２（ＨＰＦ）と分配器３３と，当該分配器３３の分配端子に接続された電源分離フィルター３４，３５からなる下り回線信号用の伝送経路が配設されている。
【００２８】
尚，本願の主・副光受信部には主としてＯ／Ｅ変換器と増幅器とからなるように構成したが，この構成に限定されるものではなく，例えば，復調レベル調整回路，ＡＧＣ回路やＭＧＣ回路を設けても良いし，スロープ調整回路等を備えさせても良い。
【００２９】
更にマザーボード３０には，電源分離フィルター３４，３５と，分配端子が電源分離フィルターに接続された分配器３３と，当該分配器３３と上記ＨＰＦ３２との相互接続点に接続されたローパスフィルター３６（ＬＰＦ）と，分配器３７とからなる上り回線信号用の伝送経路が形成されており，分配器３７の一方の出力端には，上り帯域の高周波電気信号を増幅する増幅器２０２，電気信号を光信号に変換するＥ／Ｏ変換器２０４等からなる第２の上り回線信号用光送信部（以下，副光送信部と記載する。）２００が配設されている。このＥ／Ｏ変換器２０４から光信号を取り出すための光コネクタ２０１はマザーボード上に配設されるように構成されている。
【００３０】
更に，分配器３７の他方の出力端は，主光送信ユニット２０に接続されるように配設されている。
上記主光送信ユニット２０には高周波電気信号を増幅する増幅器２２，分岐器２３，電気信号を光信号に変換する電気／光（Ｅ／Ｏ）変換器２４等からなる第１の上り回線信号用光送信部が第２の金属性ケース２０ａ内部に配設されており，この主光送信ユニット２０は，ケース２０ａの外側に配設され，高周波電気信号を入力する接続コネクタＣ２と，マザーボードに配設され高周波電気信号を出力する接続コネクタＣ２´とを接続するように，上記マザーボード３０に形成された取付口３０ｂに挿着され，着脱自在に任意の方法で固着されている。
【００３１】
尚，本願の主・副光受信部には主として増幅器とＥ／Ｏ変換器からなるように構成したが，この構成に限定されるものではなく，例えば変調レベル調整回路やスロープ調整回路等を備えさせても良い。
【００３２】
また，マザーボード３０は，本実施形態では，筐体４０内側の底面４０−１の大きさとほぼ同じとなるように一体的に形成されているが，複数個に分けて形成しても良く，例えば，筐体４０内面の左側面方向には第１のマザーボードを配設し，右側面方向には第２のマザーボードを配設するようにしてもよい。
【００３３】
この場合，第１のマザーボードは，上記主光受信ユニット１０と上記主光送信ユニット２０をネジ等の固着手段で着脱自在に取付けできるように構成する。そして，第２のマザーボードには，切換手段３１と，当該切換手段３１の出力側に接続されたＨＰＦ３２と分配器３３と，当該分配器３３の分配端子に接続された電源分離フィルター３４，３５とからなる下り回線信号用の伝送経路を設けると共に，電源分離フィルター３４，３５と，夫々の電源分離フィルターに接続された分配器３３と，当該分配器３３と上記ＨＰＦ３２との相互接続点に接続されたＬＰＦ３６と，分配器３７とからなる上り回線信号用の伝送経路を設け，更に，第２のマザーボードと上記主光受信ユニット１０と上記主送信ユニット２０の夫々の外表面上であって，相対向する位置には，接続コネクタＣ１´，Ｃ１とＣ２´，Ｃ２とを配設して互いに接続できるように構成すると共に，各ユニット１０，２０を，第２のマザーボードにネジ等の固着手段で着脱自在に取付けできるように構成すると良い。
【００３４】
電源分離フィルター３４，３５は，夫々，第１の接続端子４５，第２の接続端子４６に接続されて，当該接続端子から高周波電気信号が入出力される。また上記電源分離フィルターに接続された電流通過切換手段３８，３９は，電流通過の経路を選択するものであり，５８はＡＣ入力端子４７から電源ユニットへＡＣ入力する場合の選択手段である。
【００３５】
筐体４０の左側面４１に配設した固着部材４２からは，筐体４０の内部に光ケーブル５０が引き込まれている。光ケーブル５０は，４本の光ファイバ５０ａ，５０ｂ，５０ｃ，５０ｄを有している。
【００３６】
光ファイバ５０ａは，主光受信ユニット１０に備えられた光端子１１に接続され，光ファイバ５０ｂは，副光受信部１００に光信号を引き込むための光端子１０１に接続されている。光ファイバ５０ｃは，主光送信ユニット２０に備えられた光アダプタ２１に接続され，光ファイバ５０ｄは，副光送信部２００から光信号を引き出すための光コネクタ２０１に接続されている。
【００３７】
尚，筐体内部には，光ファイバ収容部５１が備えられており，余長の光ファイバは，光ファイバ収容部５１に適宜収容されている。
筐体４０に備えた第１及び第２のＡＣ入力端子４３，４７は，外部電源装置からのＡＣ電源を入力するための端子であり，本実施形態によれば，第１のＡＣ入力端子４３から入力されるＡＣ電源は，電源ユニットのＡＣ入力端子切換手段５６を介してＡＣ−ＤＣ変換回路５７に供給され，当該ＡＣ−ＤＣ変換回路から各部に電源供給される。
【００３８】
電流通過経路切換手段３８，３９は，電流通過の経路を切換えるための切換手段であり，本実施形態では第２の接続端子４６から第１の接続端子４５へ電流通過させる例を示している。尚，上記電源ユニットは，筐体４０の蓋体４０−２に配設されている。（図１には簡略化のため図示されていない）
次に本発明の特長部分について詳しく説明する。
【００３９】
光ケーブル５０は筐体４０に形成された固着部材でもって固着され筐体内部に引きこまれる。筐体内に引き込まれた光ケーブル５０は，４本の光ファイバを有しており，下り信号用に２本，上り信号用に２本用いて光ファイバの二重化がなされている。
【００４０】
下り信号用の光ファイバ５０ａは，主光受信ユニット１０の光端子１１に接続されている。光端子１１から入力された光信号は，Ｏ／Ｅ変換器１２において復調され高周波電気信号に変換される。この時，Ｏ／Ｅ変換器１２に光信号が入力された状態にあるときは，そのＯ／Ｅ変換器から所定のレベルの信号が信号線１２ａを介してステイタスモニタ５５，制御手段５９に出力される。光信号が入力されない状態にあるときは，Ｏ／Ｅ変換器からは信号が出されないように構成されている。
【００４１】
次にＯ／Ｅ変換器１２から出力された高周波電気信号は，下り回線の帯域を増幅する増幅器１３でもって所定レベルまで増幅されて接続コネクタＣ１から出力される。
更に上記増幅器１３と接続コネクタＣ１との間には，分岐器１４が介設されており，当該分岐器１４の分岐出力端子１４ａから出力される下り信号は，信号線１４ｂを介してステイタスモニタユニット５５に出力される。
【００４２】
接続コネクタＣ１から出力された下り信号は，マザーボード３０に配設された接続コネクタＣ１´を介してマザーボード内に引き込まれる。こうして引き込まれた下り信号は切換手段３１に接続される。
【００４３】
もう一本の下り信号用の光ファイバ５０ｂは，マザーボード上に配設された光端子１０１に接続されており，当該光端子１０１からマザーボード内に配設された副光受信ユニット１００に光信号が引き込まれている。光端子から入力された光信号はＯ／Ｅ変換器１０２によって復調され高周波電気信号に変換される。
【００４４】
次にＯ／Ｅ変換器１０２から出力された高周波電気信号は，下り回線の帯域を増幅する増幅器１０４でもって所定レベルまで増幅されて出力されるように構成されている。出力される下り信号は切換手段３１に接続されている。
【００４５】
上記増幅器１３，増幅器１０４，及び切換手段３１は，それぞれ，制御手段５９によって制御される。即ち，Ｏ／Ｅ変換器１２に光信号が入力された状態にあるときは，そのＯ／Ｅ変換器から所定のレベルの信号が信号線１２ａを介して制御手段５９に入力される。
【００４６】
そして，制御手段５９は，この信号に基づいて，信号線１３ａを介して増幅器１３に電源供給すると共に，切換手段３１を，主光受信ユニット１０からの信号が通過するように切換える。この時，増幅器１０４には電源供給されない。
【００４７】
光信号が入力されない状態にあるときは，Ｏ／Ｅ変換器１２からは信号が出されないので，制御手段５９は，増幅器１３へは電源供給せず，増幅器１０４へ接続線１０４ａを介して電源供給を行い，切換手段３１を副光受信機１００からの信号が通過するように切換える。
【００４８】
ここで光信号が入力されない状態とは，例えば光ファイバの断線などで停波した場合が有るが，主光受信ユニットをマザーボードから取り外した状態もＯ／Ｅ変換器に光信号が入力されないと同じ状態になる。即ち，光ファイバの断線等によって主回線が停波した場合は自動的に，マザーボードに内蔵させた副受信部が動作するように構成されている。また，同様に，主光受信ユニット自体が故障した場合も，自動的に主光受信ユニットから副光受信ユニットに切換わるように構成されている。
【００４９】
こうして主光受信切換手段３１（或いは，副光受信部１００）から出力された高周波電気信号は，切換手段３１と，当該切換手段３１の出力側に接続されたＨＰＦ３２と分配器３３と，当該分配器３３の分配端子に接続された電源分離フィルター３４，３５からなる下り回線信号用の伝送経路を介して，筐体４０に配設された接続端子４５，４６から端末側へ送出される。
【００５０】
次に上り回線について説明する。
まず，上り回線信号は，接続端子４５若しくは４６に入力される。なお，以下の説明では接続端子４６から入力した例について説明する。
【００５１】
接続端子４６から入力された上り信号は，電源分離フィルター３５と，当該電源分離フィルター３５に接続された分配器３３と，当該分配器３３とＨＰＦ３２との相互接続点に接続されたＬＰＦ３６と，分配器３７とからなる上り回線信号用の伝送経路を介して，主光送信ユニット２０及び副光送信ユニット２００に入力される。
【００５２】
これら各ユニット２０，２００に入力された上り信号の高周波電気信号は，増幅器２２，２０２において所定レベルまで増幅された後，Ｅ／Ｏ変換器２４，２０４において光変調される。この光信号は，光端子２１，２０１を介して光ファイバ５０ｃ，５０ｄに接続されてセンター側に光信号を送出する。
【００５３】
尚，本願の実施例では，主光送信ユニット２０の増幅器２２とＥ／Ｏ変換器２４との間には分岐回路２３が介設されており，当該分岐回路２３の分岐出力端子２３ａには，信号線２３ｂを介してステイタスモニタユニット５５が接続されている。この結果，上り回線の状態は，ステイタスモニタユニット５５によりモニタされる。尚，上記ステイタスモニタユニット５５は，図２に示す蓋体４０−２に配設されている。
【００５４】
このように，本実施形態の光送受信装置１においては，第１の下り回線信号用光受信部を金属製の第１のケースに配設した下り回線信号用光受信ユニット（主光受信ユニット）１０と，第１の上り回線信号用光送信部を金属製の第２のケースに配設した上り回線信号用光送信ユニット（主光送信ユニット）２０とを，それぞれ，マザーボード３０の外表面上に着脱自在に固着できるようにし，マザーボード３０には，第２の下り回線信号用光受信部（副光受信部）１００と第２の上り回線信号用光送信部（副光送信部）２００とを内蔵させているため，筐体４０を小型に形成でき，光送受信装置１のコストダウンを図ることができる。
【００５５】
また，マザーボード３０には，主回線に接続した主光受信ユニット１０への光信号が，光ファイバの断線等によって停波したり，主光受信ユニット１０が故障したりすると，副回線に接続された副光受信部１００を動作させて，切換手段３１を副光受信部１００側に切り換える制御手段５９を設けているので，主光受信ユニット１０が故障し修理する場合に，当該主光受信ユニット１０を取り外しても，主回線は自動的に副回線に切換わることになり，加入者に対するサービスが停止するのを防止できる。
【００５６】
更に，主光受信ユニット１０が主回線に接続されている時は，マザーボード３０に内蔵させた副光受信部１００には電源供給しないように構成したので，消費電力を低減することができる。
【００５７】
従って，本実施形態の光送受信装置１によれば，光ケーブルの二重化に対応した小型で，低消費電力な光送受信装置を提供できる。
尚，本実施形態においては，主光受信ユニット１０と主光送信ユニット２０を予め備えさせた例を示したが，この実施例に限定されるものでなく，例えば主光受信ユニット１０だけを備えさせて主光送信ユニット２０は必要な時に後付するように構成しても良く，その組み合わせは必要に応じて適宜組み合わせても良い。
【００５８】
次に，本願の光送受信装置１を用いた双方向ＣＡＴＶシステムについて説明する。
図３において，２はセンター装置であり，センター装置２と光送受信装置１は，光ケーブル５０を介して接続されている。４は同軸ケーブルであり，幹線分配増幅装置５，幹線分岐増幅器６，分配増幅器７，タップオフ８を夫々接続してシステムが構築されている。
【００５９】
以上，本発明の一実施形態について説明したが，本発明は上記実施形態に限定されるものではなく，本発明の趣旨を逸脱しない範囲で各部の構成を適宜に変更して実施することも可能である。
【００６０】
例えば，上記実施形態の光送受信装置は，ＨＦＣ（Ｈｙｂｒｉｄ  Ｆｉｂｅｒ  ａｎｄ  Ｃｏａｘｉａｌ）システムにおいて，省スペース，省エネルギーな光送受信装置を提供するものであるが，ＦＴＴＨ（Ｆｉｂｅｒ  Ｔｏ  Ｔｈｅ  Ｈｏｍｅ）等の光伝送システムにおける二重化に対応したリタンダント機能を有する光伝送機器に応用できる。
【図面の簡単な説明】
【００６１】
【図１】実施形態の光送受信装置の構成を表す組立斜視図である。
【図２】実施形態の光送受信装置の回路構成を表す概略回路図である。
【図３】実施形態の光送受信装置を用いたＣＡＴＶシステムの構成を表す説明図である。
【符号の説明】
【００６２】
１…光送受信装置，２…センター装置，４…同軸ケーブル，５…幹線分配増幅装置，６…幹線分岐増幅器，７…分配増幅器，８…タップオフ，１０…下り回線信号用光受信ユニット（主光受信ユニット），１０ａ…第１のケース，１１…光端子，１２…光信号／電気信号（Ｏ／Ｅ）変換器，１３…分岐器，１４…増幅器，２０…上り回線信号用光送信ユニット（主光送信ユニット）２０ａ…第２のケース，２１…光端子，２２…増幅器，２３…分岐器，２４…電気信号／光信号（Ｅ／Ｏ）変換器，３０…マザーボード，３０ａ…取付口，３０ｂ…取付口，３１…経路切換手段，３２…ＨＰＦ（ハイパスフィルター），３３…分配器，３４…電源分離フィルター，３５…電源分離フィルター，３６…ＬＰＦ（ローパスフィルター），３７…分配器，３８…電流通過経路切換手段，３９…電流通過経路切換手段，４０…筐体，４０−１…底面，４０−２…蓋体，４１…左側面，４２…固着部材，４３…第１のＡＣ入力端子，４４…右側面，４５…第１の接続端子，４６…第２の接続端子，４７…第２のＡＣ入力端子，５０…光ケーブル，５０ａ，５０ｂ，５０ｃ，５０ｄ…光ファイバ，５１…光ファイバ収容部，５５…ステイタスモニタユニット，５６…制御手段，６０…電源ユニット，６１…ＡＣ入力端子切換手段，６２…ＡＣ／ＤＣ変換回路，６３…ＡＣ入力端子経路切換手段，Ｃ１…主光受信ユニット側接続端子，Ｃ１´…マザーボード側接続端子，Ｃ２…主光送信ユニット側接続端子，Ｃ２´…マザーボード側接続端子，１００…第２の下り回線信号用光受信ユニット（副光受信ユニット），１０１…光端子，１０２…Ｏ／Ｅ変換器，１０４…下り回線信号用増幅器，２００…第２の上り回線信号用光送信ユニット（副光送信ユニット），２０１…光端子，２０２…上り回線信号用増幅器，２０４…Ｅ／Ｏ変換器。
【図１】
0004418654.tif 000002
【図２】
0004418654.tif 000003
【図３】
0004418654.tif 000004